(57)【要約】【課題】隣接する端子間の沿面距離を大きくとることができ、それにより端子配列の狭ピッチ化を実現する。【解決手段】コネクタハウジング１１の上段と下段にそれぞれ複数の端子１３、１２が配列された基板用コネクタ１０の実装構造において、回路基板１上の各端子の後脚部を半田付けする箇所に、端子の配列方向に沿って凸部３と凹部２を交互に配列すると共に、上段と下段の端子の後脚部１３ｂ、１２ｂを、凸部の上面と凹部の上面の位置に対応するよう千鳥状に交互に配列し、各凸部の上面に上段の端子の後脚部を半田付けし、各凹部の上面に下段の端子の後脚部を半田付けした。【選択図】図１
2010097879.tif 000002
【特許請求の範囲】
【請求項１】
コネクタハウジングの上段と下段にそれぞれ複数の端子が配列された基板用コネクタの前記コネクタハウジングの後壁より後方へ突出した前記各端子の後脚部を回路基板に半田付けすることにより、前記基板用コネクタを前記回路基板に実装した基板用コネクタの実装構造において、
前記回路基板上の前記各端子の後脚部を半田付けする箇所に、前記端子の配列方向に沿って凸部と凹部を交互に配列すると共に、前記上段と下段の端子の後脚部を、前記凸部の上面と凹部の上面の位置に対応するよう千鳥状に交互に配列し、前記各凸部の上面に前記上段の端子の後脚部を半田付けし、各凹部の上面に前記下段の端子の後脚部を半田付けしたことを特徴とする基板用コネクタの実装構造。
【請求項２】
請求項１に記載の基板用コネクタの実装構造であって、
前記コネクタハウジングのフード部の内部に前記上段と下段の端子の電気接触部が千鳥状に交互に配列され、前記各端子の後脚部がそれぞれ前記電気接触部から直線的に延出していることを特徴とする基板用コネクタの実装構造。
【請求項３】
請求項１に記載の基板用コネクタの実装構造であって、
前記コネクタハウジングのフード部の内部に前記上段と下段の端子の電気接触部が横方向の位置を揃えて配列され、前記上段と下段の端子の少なくとも一方の段の端子の前記電気接触部から後脚部までの途中に屈曲部が設けられることによって、前記上段と下段の端子の後脚部が千鳥状に配列されていることを特徴とする基板用コネクタの実装構造。
【発明の詳細な説明】
【技術分野】
【０００１】
本発明は、基板用コネクタの実装構造に関するものである。
【背景技術】
【０００２】
例えば、特許文献１に、コネクタハウジングの上段と下段にそれぞれ複数の端子が配列された基板用コネクタが開示されている。この種の基板用コネクタは、コネクタハウジングの後壁より後方へ突出した各端子の後脚部を、回路基板上に半田付けすることにより、回路基板上に実装される。通常、回路基板の上面は平坦になっているため、基板用コネクタの上下段の各端子の後脚部は、同一平面上に並ぶように配列されている。
【特許文献１】特開平１０−２１４６６４号公報
【発明の開示】
【発明が解決しようとする課題】
【０００３】
ところで、同一平面上に上下段の端子の後脚部が配列されている場合、隣接する端子間の沿面距離が短くなるため、端子配列を狭ピッチ化しにくいという問題があった。
【０００４】
本発明は、上記事情を考慮し、隣接する端子間の沿面距離を大きくとることができ、それにより端子配列の狭ピッチ化を実現することのできる基板用コネクタの実装構造を提供することを目的とする。
【課題を解決するための手段】
【０００５】
請求項１の発明は、コネクタハウジングの上段と下段にそれぞれ複数の端子が配列された基板用コネクタの前記コネクタハウジングの後壁より後方へ突出した前記各端子の後脚部を回路基板に半田付けすることにより、前記基板用コネクタを前記回路基板に実装した基板用コネクタの実装構造において、前記回路基板上の前記各端子の後脚部を半田付けする箇所に、前記端子の配列方向に沿って凸部と凹部を交互に配列すると共に、前記上段と下段の端子の後脚部を、前記凸部の上面と凹部の上面の位置に対応するよう千鳥状に交互に配列し、前記各凸部の上面に前記上段の端子の後脚部を半田付けし、各凹部の上面に前記下段の端子の後脚部を半田付けしたことを特徴とする。
【０００６】
請求項２の発明は、請求項１に記載の基板用コネクタの実装構造であって、前記コネクタハウジングのフード部の内部に前記上段と下段の端子の電気接触部が千鳥状に交互に配列され、前記各端子の後脚部がそれぞれ前記電気接触部から直線的に延出していることを特徴とする。
【０００７】
請求項３の発明は、請求項１に記載の基板用コネクタの実装構造であって、前記コネクタハウジングのフード部の内部に前記上段と下段の端子の電気接触部が横方向の位置を揃えて配列され、前記上段と下段の端子の少なくとも一方の段の端子の前記電気接触部から後脚部までの途中に屈曲部が設けられることによって、前記上段と下段の端子の後脚部が千鳥状に配列されていることを特徴とする。
【発明の効果】
【０００８】
請求項１の発明によれば、回路基板上に凸部と凹部を交互に配列し、上段と下段の端子の後脚部をそれら凸部の上面と凹部の上面の位置に対応するよう千鳥状に交互に配列し、各凸部の上面に上段の端子の後脚部を半田付けし、各凹部の上面に下段の端子の後脚部を半田付けしたので、隣接する端子間の沿面距離を凸部と凹部の段差分だけ、通常の表面実装の場合よりも大きくとることができる。従って、端子配列の狭ピッチ化を図ることができる。
【０００９】
請求項２の発明によれば、各端子が電気接触部から後脚部まで直線状に形成されているので、端子の形状が単純である分、安価に製作できる。
【００１０】
請求項３の発明によれば、上下段の端子の電気接触部の横方向の位置を揃えたので、コネクタのフード部内の端子配列の単純化が図れる。
【発明を実施するための最良の形態】
【００１１】
以下、本発明の実施形態を図面を参照して説明する。
【００１２】
図１（ａ）は実施形態の基板用コネクタの実装構造の断面図、図１（ｂ）は回路基板側の構成の概略を示す斜視図、図２（ａ）は前記基板用コネクタの正面図、図２（ｂ）は背面図である。
【００１３】
この基板用コネクタ１０は、合成樹脂製のコネクタハウジング１１の上段と下段にそれぞれ複数の端子（本例ではオス端子）１３、１２を配列したもので、相手端子（メス端子）と接続される上段と下段の各端子１３、１２の電気接触部１３ａ、１２ａは、コネクタハウジング１１のフード部１１ａ内で千鳥状に交互に配列されている。
【００１４】
また、各端子１３、１２の後脚部１３ｂ、１２ｂは、電気接触部１３ａ、１２ａから直線状に延びて、コネクタハウジング１１の後壁より後方へ突出している。
【００１５】
一方、この基板用コネクタ１０を実装する回路基板１上の各端子１３、１２の後脚部１３ｂ、１２ｂを半田付けする箇所には、端子１３、１２の配列方向に沿って凸部３と凹部２が交互に配列されている。この場合、上段と下段の端子１３、１２の後脚部１３ｂ、１２ｂは、回路基板１の凸部３の上面と凹部２の上面の位置に対応するよう千鳥状に配列されている。
【００１６】
そして、各凸部１３の上面に上段の端子１３の後脚部１３ｂを半田付けし、各凹部２の上面に下段の端子１２の後脚部１２ｂを半田付けすることにより、基板用コネクタ１０が回路基板１上に実装されている。
【００１７】
このように実装した場合、隣接する端子１３、１２間の沿面距離を凸部３と凹部２の段差分だけ、通常の表面実装の場合よりも大きくとることができる。従って、端子配列の狭ピッチ化を図ることができる。また、本実施形態の場合、各端子１３、１２が電気接触部１３ａ、１２ａから後脚部１３ｂ、１２ｂまで直線状に形成されているので、端子１３、１２の形状が単純である分、安価に製作できる。
【００１８】
なお、図３（ａ）に示すように、コネクタハウジング１１のフード部１１ａの内部に上段と下段の端子１３、１２の電気接触部１３ａ、１２ａを横方向の位置を揃えて配列し、上段と下段の端子１３、１２の少なくとも一方の段の端子１３の電気接触部１３ａから後脚部１３ｂまでの途中に屈曲部を設けることによって、図３（ｂ）に示すように、上段と下段の端子１３、１２の後脚部１３ｂ、１２ｂを千鳥状に配列するようにしてもよい。このようにすれば、コネクタ１０のフード部１１ａ内の端子配列の単純化が図れる。
【００１９】
いずれにしろ、上下段の端子１３、１２の後脚部１３ｂ、１２ｂが千鳥状に交互に配列されていれば、回路基板１上の凸部３と凹部２の各上面に半田付けすることができる。
【００２０】
ところで、凸部３と凹部２の各上面に端子１３、１２の後脚部１３ｂ、１２ｂを半田付けするためには、凸部３と凹部２の上面に導体パターンのランドを形成しておく必要がある。
【００２１】
その作り方としては、例えば、図４、図５に示すように、表面に導体パターン４、５を形成した２枚の基板１Ａ、１Ｂを積層して１枚の回路基板１を構成し、上側の基板１Ｂの縁部に設けた櫛歯状の切欠７から、下側の基板１Ａの導体パターン４が露出するようにし、切欠７のある部分を凹部２、切欠７のない部分を凸部３として構成する。こうすることにより、凸部３の上面と凹部２の上面に導体パターン５、４のランドを配置することができる。
【図面の簡単な説明】
【００２２】
【図１】（ａ）は本発明の実施形態の基板用コネクタの実装構造の断面図、（ｂ）は回路基板側の構成の概略を示す斜視図である。
【図２】（ａ）は前記基板用コネクタの正面図、（ｂ）は背面図である。
【図３】基板用コネクタの別の例を示す図で、（ａ）は正面図、（ｂ）は背面図である。
【図４】前記回路基板の凸部と凹部の構成例を示す斜視図である。
【図５】（ａ）は図４の部分の平面図、（ｂ）は（ａ）のＶｂ−Ｖｂ矢視図である。
【符号の説明】
【００２３】
１  回路基板
２  凹部
３  凸部
１０  基板用コネクタ
１１  コネクタハウジング
１１ａ  フード部
１２  下段の端子
１２ａ  電気接触部
１２ｂ  後脚部
１３  上段の端子
１３ａ  電気接触部
１３ｂ  後脚部
【図１】
2010097879.tif 000003
【図２】
2010097879.tif 000004
【図３】
2010097879.tif 000005
【図４】
2010097879.tif 000006
【図５】
2010097879.tif 000007